(57)【特許請求の範囲】
【請求項１】
火災受信機と複数の火災表示機とからなる火災報知設備において、
前記火災受信機は、火災発生時に火災情報を表示する第１の表示部と、前記各火災表示機と通話を行う第１の通話部と、火災受信機側カメラ部と、管理人が操作する応答ボタンとを備え、
また、前記各火災表示機は、火災発生時に前記火災情報を表示する第２の表示部と、前記火災受信機と通話を行う第２の通話部と、火災表示機側カメラ部と、避難者が操作する呼出ボタンとを備えるものであって、
前記各火災表示機は、前記呼出ボタンがオンされると、前記火災受信機に呼出信号を送出し、
前記火災受信機は、前記呼出信号が受信され、さらに、前記応答ボタンがオンされると、前記呼出信号を送出した火災表示機の火災表示機側カメラ部により撮影された避難者の映像を、前記火災情報の表示から切り換えて、前記第１の表示部に表示すると同時に、前記呼出信号を送出した火災表示機に対して、前記火災受信機側カメラ部により撮影された管理人の映像を、前記火災情報の表示から切り換えて、該火災表示機の第２の表示部に表示させることを特徴とする火災報知設備。
【請求項２】
前記火災受信機は、前記応答ボタンがオフされると、前記第１の表示部の表示内容を前記火災情報に切り換え、また、前記火災表示機に対して、前記第２の表示部の表示内容を前記火災情報に切り換えさせて、前記火災受信機と前記火災表示機間の映像を伴う通話を終了するようにしたことを特徴とする請求項１記載の火災報知設備。
【発明の詳細な説明】
【０００１】
【発明の属する技術分野】
この発明は、火災受信機と複数の火災表示機とからなる火災報知設備に関するものである。
【０００２】
【従来の技術】
火災受信機と複数の火災表示機とからなる火災報知設備において、火災受信機と火災表示機間は電話による音声のみの連絡手段しかなかった。
【０００３】
【発明が解決しようとする課題】
火災発生時、避難者は、建物内に点在する火災表示機から火災受信機へ電話をかけて、管理人に火災状況を確認して、管理人の指示に従って避難を行っていた。しかし、火災発生時などの緊急事態のとき、従来のように通話のみによる応答のみでは、お互いの意志が的確に伝達されない。そのため、特にパニックに陥っている避難者は気持ちを落ちつかせることができず、また、管理人は、避難者を落ちつかせて的確に避難誘導させることが困難であった。
【０００４】
この発明は、火災受信機と火災表示機との間で、映像を伴う通話を行うことができ、火災発生時などの緊急事態のとき、管理人と避難者双方の意志を的確に伝達させて、特にパニックに陥っている避難者は気持ちを落ちつかせることができ、また、管理人は避難者を落ちつかせて、的確に避難誘導させることを目的とする。
【０００５】
【課題を解決するための手段】
この発明は、火災受信機と複数の火災表示機とからなる火災報知設備において、前記火災受信機は、火災発生時に火災情報を表示する第１の表示部と、前記各火災表示機と通話を行う第１の通話部と、火災受信機側カメラ部と、管理人が操作する応答ボタンとを備え、また、前記各火災表示機は、火災発生時に前記火災情報を表示する第２の表示部と、前記火災受信機と通話を行う第２の通話部と、火災表示機側カメラ部と、避難者が操作する呼出ボタンとを備えるものであって、前記各火災表示機は、前記呼出ボタンがオンされると、前記火災受信機に呼出信号を送出し、前記火災受信機は、前記呼出信号が受信され、さらに、前記応答ボタンがオンされると、前記呼出信号を送出した火災表示機の火災表示機側カメラ部により撮影された避難者の映像を、前記火災情報の表示から切り換えて、前記第１の表示部に表示すると同時に、前記呼出信号を送出した火災表示機に対して、前記火災受信機側カメラ部により撮影された管理人の映像を、前記火災情報の表示から切り換えて、該火災表示機の第２の表示部に表示させることを特徴とする。
【０００６】
また、前記火災受信機は、前記応答ボタンがオフされると、前記第１の表示部の表示内容を前記火災情報に切り換え、また、前記火災表示機に対して、前記第２の表示部の表示内容を前記火災情報に切り換えさせて、前記火災受信機と前記火災表示機間の映像を伴う通話を終了するようにしたことを特徴とする。
【０００７】
【実施例】
本発明の実施例を図１、図２に基づいて説明する。図１は火災報知設備を説明する図であり、図２は火災受信機の動作を示すフローチャートである。まず図１に基づいて火災報知設備を説明する。火災報知設備１は、複数の火災感知器１０と火災受信機２０と複数の火災表示機４０（図１における複数の火災表示機４０Ａ、４０Ｂ、４０Ｃ、…）とから構成される。複数の火災感知器１０と火災受信機２０は、信号線Ｌ１を介して接続される。火災受信機２０と複数の火災表示機４０とは、制御線Ｒ１、映像線Ｒ２、通話線Ｒ３を介して接続される。
【０００８】
火災感知器１０は火災現象を検出し、検出した情報を出力するものであり、例えば、煙熱等の火災に基づく物理量の情報をアナログ値のデータ（例えば、デジタル化したアナログデータ）として出力するものであり、個々の火災感知器１０毎に個別のアドレスＡＤが設定される。
【０００９】
火災受信機２０は、メイン制御部２１、表示部２２、データ格納部２３、信号伝送部２４、操作部２６、制御信号伝送部１２１、映像信号伝送部１２２、通話信号伝送部１２１、マイク部１２４、スピーカ部１２５、カメラ部１２６、映像用スイッチＳＷ２１、通話用スイッチＳＷ２２を備えている。
【００１０】
メイン制御部２１は火災受信機２０の全体を制御する。第１の表示部としての表示部２２は例えばＬＣＤであり、火災発生時に発報した火災感知器１０のアドレスＡＤや警戒区域Ｎ等の火災情報が文字表示され、また、各火災表示機４０からの呼出信号に基づいて、該火災表示機４０のカメラ部により撮影された映像が切換表示される。データ格納部２３は、火災受信機２０が信号線Ｌ１に接続された火災感知器１０を監視制御するために、各火災感知器１０に個別に付与されているアドレスＡＤ毎に感知器種別ＩＤ、プレレベルＳＰ、火災判別レベルＳＦ、警戒区域Ｎ等を対照して格納している。信号伝送部２４は信号線Ｌ１に接続された火災感知器１０との各種信号の送受信を行う。操作部２６は応答ボタンＲＢ等の各種入力スイッチにより構成され、応答ボタンＲＢは、各火災表示機４０からの呼出信号に応答するものであり、オンすることで、映像用スイッチＳＷ２１、通話用スイッチＳＷ２２をオンさせ、火災受信機２０と各火災表示機４０との映像を伴う通話を行えるようにする。また、オフすることで、映像用スイッチＳＷ２１、通話用スイッチＳＷ２２をオフさせ、火災受信機２０と各火災表示機４０との映像を伴う通話を終了する。
【００１１】
制御信号伝送部１２１は、制御線Ｒ１を介して、各火災表示機４０と各種制御信号の送受信を行う。映像信号伝送部１２２は、映像線Ｒ２を介して、各火災表示機４０と各種映像信号の送受信を行う。通話信号伝送部１２３は、通話線Ｒ３を介して、各火災表示機４０と各種通話信号の送受信を行う。マイク部１２４は、入力された音声、例えば管理人の音声を通話信号とする。スピーカ部１２５は、各火災表示機４０の後述するマイク部に入力された音声、例えば避難者の音声が発音される。第１の通話部としてのマイク部１２４とスピーカ部１２５により、各火災表示機４０と通話を行える。カメラ部１２６は、詳細には図示しないが、第１の通話部により通話を行っている人間を撮影できるように、その撮影方向が指向されて火災受信機２０に設けられており、撮影した映像、例えば管理人の映像を映像信号とする。
【００１２】
つぎに、複数の火災表示機４０について説明するが、各火災表示機４０は同様の構成、動作を行うものであり、以下においては、火災表示機４０Ａのみを説明する。
【００１３】
火災表示機４０Ａは、メイン制御部４１、表示部４２、アドレス設定部４３、マイク部４４、スピーカ部４５、カメラ部４６、操作部４７、制御信号伝送部４８、映像信号伝送部４９、通話信号伝送部５０、映像用スイッチＳＷ４１、通話用スイッチＳＷ４２を備えている。
【００１４】
メイン制御部４１は火災表示機４０Ａの全体を制御する。第２の表示部としての表示部４２は例えばＬＣＤであり、火災受信機２０からの表示命令により、火災発生時に発報した火災感知器１０のアドレスＡＤや警戒区域Ｎ等の火災情報が文字表示され、また、操作部４７の呼出ボタンＣＢをオンすることにより、火災受信機２０のカメラ部１２６により撮影された映像が切換表示される。アドレス設定部４３は、火災表示機４０Ａのアドレスを設定するものであり、各火災表示機４０毎に個別のアドレスＡＤｈが設定される。マイク部４４は、入力された音声、例えば避難者の音声を通話信号とする。スピーカ部４５は、火災受信機２０のマイク部１２４からの音声、例えば管理人の音声が発音される。第２の通話部としてのマイク部４４とスピーカ部４５により、火災受信機２０と通話を行える。
【００１５】
カメラ部４６は、詳細には図示しないが、第２の通話部により通話を行っている人間を撮影できるように、その撮影方向が指向されて火災表示機４０Ａに設けられており、撮影した映像、例えば避難者の映像を映像信号とする。操作部４７は、呼出ボタンＣＢ等の各種スイッチにより構成される。呼出ボタンＣＢをオンすることで、火災受信機２０に呼出信号を送出し、この呼出信号に火災受信機２０が応答することで、映像用スイッチＳＷ４１、通話用スイッチＳＷ４２がオンして、火災受信機２０との映像を伴う通話を行えるようにする。なお、操作部４７を呼出ボタンＣＢのみで構成すると、火災発生時などの緊急事態のときにパニックに陥っている避難者が呼出ボタンＣＢを押そうとして、間違って他のスイッチを押してしまうことがなくなり、好ましい。
【００１６】
制御信号伝送部４８は、制御線Ｒ１を介して、火災受信機２０と各種制御信号の送受信を行う。映像信号伝送部４９は、映像線Ｒ２を介して、火災受信機２０と各種映像信号の送受信を行う。通話信号伝送部５０は、通話線Ｒ３を介して、火災受信機２０と各種通話信号の送受信を行う。
【００１７】
つぎに、図２のフローチャートに基づいて、火災受信機２０の動作を説明する。通常状態において、火災受信機２０および各火災表示機４０は、表示部２２、４２に「通常監視中」等の表示を行っている。火災受信機２０はポーリング方式により、各火災感知器１０を呼び出す制御信号「アドレスＡＤ・返送命令」を、信号伝送部２４を介して、信号線Ｌ１に伝送する。この制御信号に対して、アドレスＡＤに対応する火災感知器１０が応答し、返送信号「アドレスＡＤ・アナログデータ」を信号線Ｌ１に送出する。そして、火災受信機２０がその返送信号を受信し、アナログデータに基づいて、データ格納部２３の対照表により、各火災感知器１０の状態を監視する（Ｓ１）。なお、ステップＳ１における動作は、全ての火災感知器１０に対して行われる。
【００１８】
各火災感知器１０のアナログデータがプレレベルＳＰ、火災判別レベルＳＦ以上でないと（Ｓ２）、各火災表示機４０の状態を監視する（Ｓ３）。火災受信機２０はポーリング方式により、各火災表示機４０を呼び出す制御信号「アドレスＡＤｈ・返送命令」を、制御信号伝送部１２１を介して、制御線Ｒ１に伝送する。この制御信号に対して、アドレスＡＤｈに対応する火災表示機４０が応答し、返送信号「アドレスＡＤｈ・応答信号」を制御信号伝送部４８を介して制御線Ｒ１に送出する。そして、火災受信機２０がその返送信号を受信し、返送信号に基づいて、各火災表示機４０の状態を監視する。火災受信機２０は、火災表示機４０からの返送信号「アドレスＡＤｈ・応答信号」を受信したことにより、制御線Ｒ１の断線や火災表示機４０の故障がないことを確認している。火災受信機２０は返送信号を受信すると（Ｓ４）、呼出信号があるかどうかを確認し（Ｓ５）、呼出信号がなければ、ステップＳ１へ戻る。また、火災受信機２０は返送信号を受信しないと（Ｓ４）、表示部２２に「火災表示機故障・アドレス−ＡＤｈ番」等の故障情報を文字表示し（Ｓ６）、ステップＳ５へ進む。なお、ステップＳ３からステップＳ６における動作は、全ての火災表示機４０に対して行われる。
【００１９】
また、各火災感知器１０のアナログデータがプレレベルＳＰ、火災判別レベルＳＦ以上で火災と判断されると（Ｓ２）、表示部２２に例えば「火災感知器発報注意（または火災感知器発報）・アドレス−ＡＤ番・種別−ＩＤ・火災発生区域−Ｎ区域」等の火災情報を文字表示する（Ｓ１０）。メイン制御部２１は、表示部２２の文字情報を文字コードデータとして、各火災表示機４０に制御信号「アドレスＡＤｈ・表示命令」を、制御信号伝送部１２１を介して、制御線Ｒ１に伝送する（Ｓ１１）。この制御信号に対して、アドレスＡＤｈに対応する火災表示機４０が応答し、文字コードデータをキャラクタに変換し、表示部４２に火災情報を文字表示する。そして、返送信号「アドレスＡＤｈ・表示完了信号」を制御信号伝送部４８を介して制御線Ｒ１に送出する。そして、火災受信機２０がその返送信号を受信し（Ｓ１２）、返送信号により火災表示機４０の表示部４２に火災情報が文字表示されたことを確認する。そして、Ｓ３へ進む。また、火災受信機２０は返送信号を受信しないと（Ｓ１２）、表示部２２に「火災表示機故障・アドレス−ＡＤｈ番」等の故障情報を文字表示し（Ｓ１３）、ステップＳ３へ進む。なお、ステップＳ１１からステップＳ１３における動作は、全ての火災表示機４０に対して行われる。
【００２０】
つぎに、避難者が管理人との連絡を行う場合について説明する。火災発生時等において、避難者が例えば表示機４０Ａの操作部４７の呼出ボタンＣＢを押すと、火災表示機４０Ａの図示しないＲＡＭに呼出ボタンＣＢオン信号を格納する。そして、火災表示機４０Ａは、火災受信機２０から制御信号「アドレスＡＤｈ・返送命令」を受信した時に、返送信号「アドレスＡＤｈ・呼出信号」を送信する。
【００２１】
そのため、火災受信機２０は返送信号を受信すると（Ｓ４）、返送信号中に呼出信号があるかどうかを確認し、呼出信号があると（Ｓ５）、メイン制御部２１は図示しない音声合成部により、「火災表示機４０Ａから呼出しがあります。応答ボタンを押して下さい。」のようなメッセージ用データをスピーカ部１２５から発音させる（Ｓ２０）。そして、管理人が操作部２６の応答ボタンＲＢを押すと（Ｓ２１）、メイン制御部２１は映像用スイッチＳＷ２１、通話用スイッチＳＷ２２をオンし（Ｓ２２）、火災表示機４０Ａを呼び出す制御信号「アドレスＡＤｈ・通話開始命令」を、制御信号伝送部１２１を介して、制御線Ｒ１に伝送する（Ｓ２３）。この制御信号に対して、火災表示機４０Ａが応答し、メイン制御部４１は映像用スイッチＳＷ４１、通話用スイッチＳＷ４２をオンし、返送信号「アドレスＡＤｈ・通話開始完了信号」を制御信号伝送部４８を介して制御線Ｒ１に送出する。そして、火災受信機２０がその返送信号を受信し（Ｓ２４）、返送信号により火災表示機４０Ａの映像用スイッチＳＷ４１、通話用スイッチＳＷ４２がオンしたことを確認する。これにより、火災受信機２０と火災表示機４０Ａとが映像線Ｒ２、通話線Ｒ３を介して接続され、映像を伴う通話を行える（Ｓ２６）。また、火災受信機２０は返送信号を受信しないと（Ｓ２４）、表示部２２に「火災表示機故障・アドレス−ＡＤｈ番」等の故障情報を文字表示する（Ｓ２５）。
【００２２】
火災受信機２０は、カメラ部１２６により、例えば管理人を撮影し、その映像信号を映像信号伝送部１２２を介して映像線Ｒ２に送出する。マイク部１２４により、例えば管理人の発音した音声を通話信号として、その通話信号を通話信号伝送部１２３を介して通話線Ｒ３に送出する。スピーカ部１２５により、火災表示機４０Ａからの音声、例えば避難者の音声が発音される。表示部２２により、それまで表示されていた文字情報と切り換えられて、火災表示機４０Ａからの映像、例えば避難者の映像が表示される。
【００２３】
火災表示機４０Ａは、カメラ部４６により、例えば避難者を撮影し、その映像信号を映像信号伝送部４９を介して映像線Ｒ２に送出する。マイク部４４により、例えば避難者の発音した音声を通話信号として、その通話信号を通話信号伝送部５０を介して通話線Ｒ３に送出する。スピーカ部４５により、火災受信機２０からの音声、例えば管理人の音声が発音される。表示部４２により、それまで表示されていた文字情報と切り換えられて、火災受信機２０からの映像、例えば管理人の映像が表示される。
【００２４】
避難者と管理人は、映像を伴う通話、つまり表示部２２、４２によりお互いの顔を見ながら、通話を行うことができる。火災発生時などの緊急事態のとき、従来のように通話のみによる応答のみでは、お互いの意志が的確に伝達されず、特にパニックに陥っている避難者は気持ちを落ちつかせることができず、また、管理人は、避難者を落ちつかせて的確に避難誘導させることが困難であった。しかし、表示部２２、４２によりお互いの顔を見ながら、通話を行うことで、避難者は気持ちを落ちつかせることができ、また、管理人は、避難者の混乱状況を確認しながら、冷静に対応する等のしかるべき処置をとることにより、避難者の混乱を緩和し、冷静に避難させることが可能となる。
【００２５】
そして、応答ボタンＲＢがオンであれば（Ｓ３０）、通話を引き続き行い、応答ボタンＲＢがオフされると（Ｓ３０）、火災受信機２０と火災表示機４０Ａ間の映像を伴う通話を終了する。つまり、応答ボタンＲＢがオフされると（Ｓ３０）、メイン制御部２１は映像用スイッチＳＷ２１、通話用スイッチＳＷ２２をオフし、表示部２２の表示内容を文字情報に切り換える（Ｓ３１）。また、火災表示機４０Ａを呼び出す制御信号「アドレスＡＤｈ・通話終了命令」を、制御信号伝送部１２１を介して、制御線Ｒ１に伝送する（Ｓ３２）。この制御信号に対して、火災表示機４０Ａが応答し、メイン制御部４１は操作部４７の呼出ボタンＣＢ、映像用スイッチＳＷ４１、通話用スイッチＳＷ４２をオフし、返送信号「アドレスＡＤｈ・通話終了完了信号」を制御信号伝送部４８を介して制御線Ｒ１に送出する。このとき、火災表示機４０Ａのメイン制御部４１は、表示部４２の表示内容を文字情報に切り換える。そして、火災受信機２０がその返送信号を受信し（Ｓ３３）、返送信号により火災表示機４０Ａの操作部４７の呼出ボタンＣＢ、映像用スイッチＳＷ４１、通話用スイッチＳＷ４２がオフしたことを確認し、ステップＳ１へ戻る。また、火災受信機２０は返送信号を受信しないと（Ｓ３３）、表示部２２に「火災表示機故障・アドレス−ＡＤｈ番」等の故障情報を文字表示し（Ｓ３４）、ステップＳ１へ戻る。
【００２６】
なお、表示部２２、４２での映像表示は、表示部全体を用いて表示してもよいし、表示部の一部を映像表示で使い、残りを文字情報に用いてもよい。
【００２７】
なお、映像を伴う通話の終了を、火災表示機４０Ａ側の操作部４７の呼出ボタンＣＢをオフすることにより行ってもよいが、火災受信機２０側の操作部２６の応答ボタンＲＢをオフすることにより行ったほうがよい。つまり、混乱状態に陥っている避難者は、通話が完了しても操作部４７の呼出ボタンＣＢをオンしたまま、避難行動を起こしてしまうことが考えられ、他の火災表示機４０Ｂ、４０Ｃ、…、との映像を伴う通話が行えなくなるためである。
【００２８】
また、火災受信機２０と火災表示機４０Ａが映像を伴う通話を行っているときに、他の火災表示機４０Ｂ、４０Ｃ、…、は呼出ボタンＣＢを押しても、火災受信機２０と映像を伴う通話を行えないが、例えば、呼出ボタンＣＢが押されてから、所定時間経過しても、火災受信機２０と映像を伴う通話を行えない場合に、メイン制御部４１が図示しない音声合成部により、「火災受信機は他の火災表示機と通話中です。もうしばらくお待ち下さい。」のようなメッセージ用データをスピーカ部４５から発音させてもよい。
【００２９】
さらに、火災受信機が複数存在する場合は、１つの火災受信機を火災報知設備全体における制御を行うようにすればよい。
【００３０】
【発明の効果】
以上のように、火災受信機と火災表示機との間で、映像を伴う通話を行うことができ、火災発生時等における管理人と避難者双方の意志を的確に伝達させて、避難者は気持ちを落ちつかせることができ、また、管理人は、避難者の混乱状況を確認しながら、冷静に対応する等のしかるべき処置をとることにより、パニックに陥っている避難者の混乱を緩和し、冷静に避難させることが可能となる。
【図面の簡単な説明】
【図１】本発明の実施例を示す、火災報知設備を説明する図である。
【図２】本発明の実施例を示す、火災受信機の動作を示すフローチャートである。
【符号の説明】
１  火災報知設備
１０  火災感知器
２０  火災受信機
２２  表示部
４２  表示部
４６  カメラ部
１２６  カメラ部
４０Ａ  火災表示機
【図１】
0003902970.tif 000002
【図２】
0003902970.tif 000003